(57)【要約】【課題】  低濃度オゾンガスの特性を活用して多人数が集合するオフィスなどの室内空気を賦活化し、その室内に居る人々の気分を爽快にする方法とそのための装置を提供すること。【解決手段】  低濃度オゾンガス又は低濃度オゾンガスを含むマイナスイオン化した酸素の少なくとも発生量と送給時間を制御できるようにした気体発生手段１，２を、オフィス等の室内Ｒ又はその近傍の室外に設置し、前記気体発生手段１，２により生成されるマイナスイオンを含むか又は前記イオンを含まない低濃度オゾンガスを、前記室内Ｒに制御された供給時間と供給タイミングで供給する。【選択図】  図１
2005129348.tif 000002
【特許請求の範囲】
【請求項１】
低濃度オゾンガス又は低濃度オゾンガスを含むマイナスイオン化した酸素の少なくとも発生量と送給時間を制御できるようにした気体発生手段を、オフィス等の室内又はその近傍の室外に設置し、前記気体発生手段により生成されるマイナスイオンを含むか又は前記イオンを含まない低濃度オゾンガスを、制御された供給時間と供給タイミングで前記室内に供給することを特徴とするオフィス等における室内空気の賦活方法。
【請求項２】
オゾンガスの濃度は、室内で拡散させて0.05ppm以下にする請求項のオフィス等における室内空気の賦活方法。
【請求項３】
水破砕式又は電子放射式のイオン発生器とオゾン発生器、又は、マイナスイオンを含むオゾン発生器と、前記発生器に生じた低濃度オゾンガスを室内に送供するガス送給手段と、前記オゾン発生器とガス送給手段のオゾン発生量又はオゾン発生時間とオゾンガス送給量並びにオゾンガス送給タイミングを制御するコンピュータとから形成され、室内の大きさ、その室内に居る人の数を考慮して前記発生量又は発生時間と送給時間とそのタイミングを制御するようにしたことを特徴とするオフィス等における室内空気の賦活装置。
【請求項４】
オゾン発生量又はオゾン発生時間、及び、オゾンガス送給時間とそのタイミングの制御は、前記コンピュータに代えタイマーにより制御するようにした請求項３のオフィス等における室内空気の賦活装置。
【請求項５】
オゾンガスは、送給手段の吹出口で0.05ppm以上の濃度で室内に吹出し、室内で0.05ppm以下に拡散させるようにした請求項３又は４のオフィス等における室内空気の賦活装置。
【発明の詳細な説明】
【技術分野】
【０００１】
本発明はオフィス，会議室，集会場，教室，講堂，レストラン，映画館などのように、一般に複数乃至多数の健常者が集合する室内における当該室内空気を賦活する方法とそのための装置に関する。
【背景技術】
【０００２】
従来から多数の人が集合する室内では、その室内の空気をエアコンディショナなどにより外気と循環させたり、窓などを開けて外気と交換したりすることなどにより、清浄にすることが行われている。
【０００３】
しかし、多くの人が入った室内では、上記のような室内空気の浄化法を採っても空気中の炭酸ガス濃度が高まるなどの理由で、大半の人が爽快な気分になりにくいのみならず、眠気に襲われたりして、その室内にいる個々人の生体としての状態がわずかではあるが平常ではないと考えられる。
【０００４】
一方、本発明の発明者は、病室や介護室などの脱臭や殺菌を目的として、そのような室内にオゾンガスを供給する装置を提案している（特許文献１参照）が、このオゾン発生装置の研究中に、低濃度のオゾンガス（屋外での空気に含まれるオゾン濃度程度のガス）は、生体にリラックス効果をもたらすことを知得した。これは、生体が低濃度オゾンガスに曝露されると交感神経を抑制し、副交感神経を拮抗させることにより得られると考えられている。
【０００５】
そしてオゾンは、自然界の大気中においては太陽光による紫外線や落雷などにより酸素が分解され、それが再結合することにより日常的に発生しているが、不安定であるため経時的に分解し、酸素原子として他の成分と結合したり、酸素（O2）に戻る。このため外気と遮断された室内空間にはオゾンは殆んど存在しない。
【特許文献１】特開平１１−５６９９号公報
【発明の開示】
【発明が解決しようとする課題】
【０００６】
そこで本発明は、上記の低濃度オゾンガスの上記特性を活用して多人数が集合するオフィスなどの室内空気を賦活化し、その室内に居る人々の気分を爽快にする方法とそのための装置を提供することを課題としてなされたものである。
【課題を解決するための手段】
【０００７】
上記課題を解決することを目的としてなされた本発明方法の構成は、低濃度オゾンガス又は低濃度オゾンガスを含むマイナスイオン化した酸素の少なくとも発生量と送給時間を制御できるようにした気体発生手段を、オフィス等の室内又はその近傍の室外に設置し、前記気体発生手段により生成されるマイナスイオンを含むか又は前記イオンを含まない低濃度オゾンガスを、前記室内に制御された供給時間と供給タイミングで供給することを特徴とするものである。
【０００８】
また、上記方法を実施するための装置の構成は、水破砕式又は電子放射式のイオン発生器とオゾン発生器、又は、マイナスイオンを含むオゾン発生器と、前記発生器に生じた低濃度オゾンガスを室内に送供するガス送給手段と、前記オゾン発生器とガス送給手段のオゾン発生量又はオゾン発生時間とオゾンガス送給量並びにオゾンガス送給タイミングを制御するコンピュータとから形成され、室内の大きさ、その室内に居る人の数を考慮して前記発生量又は発生時間と送給時間とそのタイミングを制御するようにしたことを特徴とするものである。
【０００９】
本発明においては、上記オゾン発生量又はオゾン発生時間、及び、オゾンガス送給時間とそのタイミングの制御は、前記コンピュータに代えタイマーにより制御するようにした装置としてもよい。また、本発明における低濃度オゾンガスは、室内においては0.05ppm以下となるようにする。
【発明の効果】
【００１０】
空気の活性が低下し易い多勢の人が入っている室内に、低濃度のオゾンガス、或は、このガスとマイナスイオンを、その送給量又は送給時間と送給タイミングを制御して供給することにより、当該室内の空気を賦活してこの室内に居る人の気分を爽快にすると共に眠気などを払拭する。
【発明を実施するための最良の形態】
【００１１】
次に本発明の実施の形態例について図を参照して説明する。
図１において、１と２は室内空気を賦活したいオフィス等の部屋Ｒに対して設置した低濃度オゾン発生器とマイナスイオン発生器で、これらの発生器１，２には、水破砕式や電子放射式のイオン発生器、或は、コロナ放電式オゾン発生器などのオゾン発生器を用いる。このオゾン発生器１とイオン発生器２のオゾンやマイナスイオンの生成量（発生量）は、発生器の定格，容量などにより任意に設定されるものであるが、生成（発生）させる時間は任意にコントロールすることができるので、前記オゾン等の発生量はその定格などと生成時間によって自由にコントロールすることが可能である。上記オゾン発生器１で生成されるオゾン濃度は一例として0.5ppm程度である。
【００１２】
３は、前記オゾン発生器１とマイナスイオン発生器２に生成される低濃度オゾンとマイナスイオンを含む気体を前記室内Ｒの内部に送給する手段で、ここでは、オゾンガス等の吹出し用の送風ファン，開閉自在のエアダンパ，アキュームレータを具備したものであり、本発明ではこの送給手段３を制御することによっても、前記部屋Ｒに送給する低濃度オゾンとマイナスイオンの量をコントロールする。この送給手段３により上記濃度のオゾンガスが室内Ｒに吹出されると、当該ガスは室内Ｒで拡散されて濃度が0.05ppm以下になる。
【００１３】
上記オゾン発生器１とイオン発生器２とこれらの発生器１，２に接続された送給手段３は、夫々に電源装置４に接続されて必要な電力の供給を受ける一方、後に述べるコンピュータ５に前記発生器１，２と送給手段３の駆動制御部が接続されていることにより、オゾン発生器１とイオン発生器２による低濃度オゾンガス、並びに、マイナスイオン気体の生成量と生成時間が制御され、送給手段３によって送給量と送給タイミングが制御されるように形成されている。なお、前記発生器１，２と送給手段３の駆動は、原則として同期して制御される。即ち、前記発生器１，２が駆動されるときは送給手段３も原則として一緒に駆動されるのであるが、完全に同期する訳ではなく、駆動タイミングに時間差がある場合もある。
【００１４】
前記コンピュータ５は、一例として、ＲＡＭ，ＲＯＭ，ＣＰＵなどを主体に、キーボードなどの入力手段5aと表示画面やプリンタなどの出力手段5bを具備したものである。本発明では、前記コンピュータ５に代えタイマー（図示せず）によって、オゾン発生器１，イオン発生器２，送給手段３の夫々の駆動タイミングと駆動時間を制御するようにしてもよい。
【００１５】
上記オゾン発生器１において、オゾン発生量の制御は一例としてオゾン原料として電極間に供給される空気量の制御により行い、また、オゾン発生時間の制御は、一例として放電電極への電圧印加時間の制御により行うことができる。また、イオン発生器のイオン生成量は、破砕させる水量や放射する電子の数、或は、水破砕時間や電子放射時間を制御することにより行うことができる。更に、前記オゾンガスやマイナスイオンの送給量は、例えば送給手段におけるダンパ（図示せず）の開閉度合、或は、前記ダンパの開閉度合とアキュームレータ（図示せず）の協働作用によって行うことができる。
【００１６】
従って、前記コンピュータ５には、個々のオゾン発生器１やイオン発生器２と送給手段４に関して、供給空気量をコントロールする流量調整弁（図示せず）の開閉度合を制御するためのプログラムや放電々極への電圧印加時間をコントロールするためのタイマプログラムなどが、書替え可能にして搭載されることになる。
【００１７】
オゾン発生器１とイオン発生器２、気体の送給手段３について、前記コンピュータ５により個々のオゾン発生器１，イオン発生器２とガス送給手段３を制御するため、夫々の発生器１，２と送給手段３ごとに、各制御項目を、例えば当該コンピュータ５のＣＲＴによる表示部5bに表示させ、対応する項目のプログラム内容を夫々に選択することにより、選択した内容でオゾン発生器１とイオン発生器２と送給手段３をコントロールして駆動させる。
【００１８】
本発明では、上記例のオゾン発生器１とイオン発生器２、並びに、ガス送給手段３の個々について、ガスの発生量又は発生時間、或は、ガス送給量を制御項目とする制御プログラムを搭載したパーソナルコンピュータ（図示せず）を前記発生器１，２と送給手段３に接続し、これによって各発生器１，２と送給手段３を制御するようにしてもよい。また、上記コンピュータ５は、その搭載プログラムをネットワーク接続した外部コンピュータにより、書替えたり制御内容を変更できるようにすると、一層と便利になる。
【産業上の利用可能性】
【００１９】
本発明は以上の通りであって、オフィス等の室内のように大勢の人が居ることによって空気清浄機などの作用だけでは室内の空気の活性が低下し易い室内に、低濃度のオゾンガス、或は、このガスとマイナスイオンを、その送給量又は送給時間とその送給タイミングを制御して供給することにより、当該室内の空気を賦活してこの室内に居る人の気分を爽快にすると共に眠気などを払拭するようにしたので、大勢の人が集まる様々な施設の室内に本発明方法並びに装置を適用することにより、その室内の空気を適宜タイミングで低濃度のオゾンが存在する状態にすることができる。
【図面の簡単な説明】
【００２０】
【図１】本発明装置の一例のブロック図。
【符号の説明】
【００２１】
１    低濃度オゾン発生器
２    マイナスイオン発生器
３    送給手段
４    電源
５    コンピュータ
【図１】
2005129348.tif 000003